(57)【要約】【課題】円筒型コアの再利用が可能となり、廃棄物量を低減することができるとともに、前記円筒型ミストフィルタのフィルタ性能が向上し、使用し易い円筒型フィルタエレメントおよびそれを用いたミスト捕集装置を提供することを課題とする。【解決手段】本発明の円筒型コアフィルタは、細線を格子状に組んで周壁を形成した円筒型コアの周囲に、ガス流に対して下流層となる微細繊維層と、ガス流に対して上流層となる太繊維層とを設け、前記微細繊維層と太繊維層からなる円筒型ミストフィルタの最外周に、前記円筒型ミストフィルタを着脱自在に前記円筒型コアに固定する網状の外装材層を巻着したことを特徴とする。【選択図】図１
2005046765.tif 000002
【特許請求の範囲】
【請求項１】
細線を格子状に組んで周壁を形成した円筒型コアの周囲に、ガス流に対して下流層となる微細繊維層と、ガス流に対して上流層となる太繊維層とを設け、前記微細繊維層と太繊維層からなる円筒型ミストフィルタの最外周に、前記円筒型ミストフィルタを着脱自在に前記円筒型コアに固定する網状の外装材層を巻着したことを特徴とする円筒型フィルタエレメント。
【請求項２】
前記円筒型ミストフィルタと外装材層とを前記円筒型コアに固定する結束部材を、少なくとも前記外装材層の上縁に沿って設けたことを特徴とする請求項１記載の円筒型フィルタエレメント。
【請求項３】
前記外装材層を構成する外装材の巻着方向端部の少なくとも一方に、巻着された状態で、前記一方の端部と他方の端部とを連結する連結手段を設けたことを特徴とする請求項１または２記載の円筒型フィルタエレメント。
【請求項４】
前記連結手段を面ファスナー、ホックとしたことを特徴とする請求項３記載の円筒型フィルタエレメント。
【請求項５】
前記太繊維層を、無機質繊維を面方向に配向積層させた無機質繊維ウエブをジグザグ状に折り畳んだ波形無機質繊維板を用いて形成したことを特徴とする請求項１乃至４のいずれかに記載の円筒型フィルタエレメント。
【請求項６】
前記太繊維層を、無機質長繊維をカール形状に積層したカール状積層構造体を用いて形成したことを特徴とする請求項１乃至４のいずれかに記載の円筒型フィルタエレメント。
【請求項７】
円筒型ケーシングの中央部に請求項１乃至５のいずれかに記載の円筒型フィルタエレメントを設け、前記円筒型ケーシングの側部上方に前記円筒型フィルタエレメントの外周に接する仮想接線上に位置するガス流入口を設け、ファンの駆動により前記ガス流入口からミストを含んだガス流を流入し、前記ガス流を前記円筒型フィルタエレメントの上流層から下流層へと通過させてガス流中のミストを捕集するミスト捕集装置であって、前記円筒型ケーシングの上部に、中央部にガス排出口を有し、前記円筒型ケーシングに着脱自在となる蓋体を設け、前記蓋体の裏面に、前記円筒型フィルタエレメントを保持する保持手段を設け、前記保持手段に前記円筒型フィルタエレメントが保持されることを特徴とするミスト捕集装置。
【請求項８】
前記円筒型フィルタエレメントの円筒型コアの上端部に少なくとも一対の外周方向に突出するフランジ部を設け、前記フランジ部と前記蓋体の保持手段である係止部材とを係止させ、前記円筒型フィルタエレメントを保持するようにしたことを特徴とする請求項７記載のミスト捕集装置。
【請求項９】
前記円筒型ケーシングの底部に傾斜を付けたドレン受け底盤を設け、該底盤の最下部にドレン抜きを設けたことを特徴とする請求項７または８記載のミスト捕集装置。
【発明の詳細な説明】
【技術分野】
【０００１】
本発明は、例えば、酸ミスト、オイルミスト、可塑剤ミスト、水ミスト等の各種ミストをガス中から分離するために用いる円筒型フィルタエレメントおよび前記円筒型フィルタエレメントを用いたミスト捕集装置に関する。
【背景技術】
【０００２】
従来、ガス中のミストを分離するミストフィルタとしては、繊維径１μｍ程度の微細ガラス繊維層と、これより太い繊維径のガラス繊維層との内外二層構造に構成した円筒型ミストフィルタをパンチングメタルによって形成された通気性円筒型コアの外周に保持して円筒型フィルタエレメントを形成したものが知られている。このような円筒型フィルタエレメントは、通気性円筒型コアの上下に前記ガラス繊維層を支持するガイドを周囲に設けたフランジを設け、該フランジで前記ガラス繊維層を上下から挟持して前記円筒型コアに保持する構造や、帯状のガラス繊維層の端部に連結部材を設け、円筒型コアに巻き付けたガラス繊維層の端部同士を、前記ガラス繊維層の少なくとも一方の端部に設けた連結部材で連結して円筒型コアに巻着する構造となっていた。また、前記円筒型フィルタエレメントは、ミスト捕集装置のケーシングに設けた支持プレートに、長ボルトや蝶ネジ等の取り付け部材によって取り付けられていた。前記円筒型フィルタエレメントを設けたミスト捕集装置は、ケーシングに設けたガス流入口からミストを含んだガスをケーシング内に流入し、前記円筒型フィルタエレメントの円筒型ミストフィルタの外方から内方へ、または、内方から外方へとガス流を通過させて、前記円筒型ミストフィルタにミストを捕集させ、ケーシングに設けたガス排出口からガス流を排出する構造となっている。
【発明の開示】
【発明が解決しようとする課題】
【０００３】
しかしながら、前記円筒型ミストフィルタおよびそれを用いたミスト捕集装置は、以下のような不都合があった。
（１）従来の円筒型フィルタエレメントは、パンチングメタル製の円筒型コアに前記円筒型ミストフィルタが取り付けられていたため、ミストを含んだガス流が通過すると、パンチングメタル製の円筒型コアにも多量のミストが付着した。たとえ、使用後の円筒型ミストフィルタを円筒型コアから取り外した場合であっても、円筒型コアに付着したミストを洗浄等により除去して、円筒型コアを再利用することは困難であった。このため、円筒型コアに円筒型ミストフィルタを取り付けたまま、円筒型フィルタエレメント全体を廃棄処分しなければならず、大量の廃棄物が排出されるという不都合があった。
（２）円筒型ミストフィルタに多量のミストが捕集されると、円筒型ミストフィルタが自重で下垂し、円筒型コアの上部においてミストフィルタが存在しない隙間を生じ、ミストを含んだガス流が円筒型フィルタエレメントの上部においてフィルタを通過せずに排出されてしまい、ミスト捕集効率が低下するという不都合があった。
（３）さらに、前記ミスト捕集装置は、長ボルト、蝶ネジを使用して、円筒型フィルタエレメントを円筒型ケーシング内の支持プレートに締め付け固定する必要があり、取り付けが困難であるという不都合があった。
そこで、本発明者等は、叙述の不都合な点を改善し、円筒型コアの再利用が可能となり、廃棄物量を低減することができるとともに、前記円筒型ミストフィルタのフィルタ性能が向上し、使用し易い円筒型フィルタエレメントおよびそれを用いたミスト捕集装置を提供することを課題とする。
【課題を解決するための手段】
【０００４】
本発明の円筒型フィルタエレメントは、前記課題を達成するべく、請求項１に記載の通り、細線を格子状に組んで周壁を形成した円筒型コアの周囲に、ガス流に対して下流層となる微細繊維層と、ガス流に対して上流層となる太繊維層とを設け、前記微細繊維層と太繊維層からなる円筒型ミストフィルタの最外周に、前記円筒型ミストフィルタを着脱自在に前記円筒型コアに固定する網状の外装材層を巻着したことを特徴とする。
また、請求項２記載の円筒型フィルタエレメントは、請求項１記載の円筒型フィルタエレメントにおいて、前記円筒型ミストフィルタと外装材層とを前記円筒型コアに固定する結束部材を、少なくとも前記外装材層の上縁に沿って設けたことを特徴とする。
また、請求項３記載の円筒型フィルタエレメントは、請求項１または２記載の円筒型フィルタエレメントにおいて、前記外装材層を構成する外装材の巻着方向端部の少なくとも一方に、巻着された状態で、前記一方の端部と他方の端部とを連結する連結手段を設けたことを特徴とする。
また、請求項４記載の円筒型フィルタエレメントは、請求項３に記載の円筒型フィルタエレメントにおいて、前記連結手段を面ファスナー、ホックとしたことを特徴とする。
また、請求項５記載の円筒型フィルタエレメントは、請求項１乃至４のいずれかに記載の円筒型フィルタエレメントにおいて、前記太繊維層を、無機質繊維を面方向に配向積層させた無機質繊維ウエブをジグザグ状に折り畳んだ波形無機質繊維板を用いて形成したことを特徴とする。
また、請求項６記載の円筒型フィルタエレメントは、請求項１乃至４のいずれかに記載の円筒型フィルタエレメントにおいて、前記太繊維層を、無機質長繊維をカール形状に積層したカール状積層構造体を用いて形成したことを特徴とする。
また、本発明のミスト捕集装置は、前記目的を達成するべく、請求項７に記載の通り、円筒型ケーシングの中央部に請求項１乃至６のいずれかに記載の円筒型フィルタエレメントを設け、前記円筒型ケーシングの側部上方に前記円筒型フィルタエレメントの外周に接する仮想接線上に位置するガス流入口を設け、ファンの駆動により前記ガス流入口からミストを含んだガス流を流入し、前記ガス流を前記円筒型フィルタエレメントの上流層から下流層へと通過させてガス流中のミストを捕集するミスト捕集装置であって、前記円筒型ケーシングの上部に、中央部にガス排出口を有し、前記円筒型ケーシングに着脱自在となる蓋体を設け、前記蓋体の裏面に、前記円筒型フィルタエレメントを保持する保持手段を設け、前記保持手段に前記円筒型フィルタエレメントが保持されることを特徴とする。
また、請求項８記載のミスト捕集装置は、前記請求項７に記載のミスト捕集装置において、前記円筒型フィルタエレメントの円筒型コアの上端部に少なくとも一対の外周方向に突出するフランジ部を設け、前記フランジ部と前記蓋体の保持手段である係止部材とを係止させ、前記円筒型フィルタエレメントを保持するようにしたことを特徴とする。
また、請求項９記載のミスト捕集装置は、前記請求項７または８記載のミスト捕集装置において、前記円筒型ケーシングの底部に傾斜を付けたドレン受け底盤を設け、該底盤の最下部にドレン抜きを設けたことを特徴とする。
【発明の効果】
【０００５】
本発明の円筒型フィルタエレメントは、外装材層の巻着を外すことにより、ガス流が通過してミストを含んだ微細繊維層と太繊維層からなる円筒型ミストフィルタを簡単に取り外すことができ、使用後の円筒型ミストフィルタの廃棄処分が容易となる。また、円筒型コアの周壁は、細線を格子状に組んだものであるため、ガス流が円筒型ミストフィルタを通過した後であっても、円筒型コアに付着しているミストの量が少なく、付着しているミストも簡単に除去できるため、円筒型コアを再利用することができ、廃棄物量を低減することができる。
前記円筒型コアは、細線を格子状に組んで周壁を形成しているため、強度的にやや劣り、前記格子状に組んだ細線からなる周壁に微細繊維層と太繊維層とを設けた場合に、一方向に通過するガス流の圧力によって、格子状の隙間部分に前記微細繊維層等が食い込むことが考えられるが、前記微細繊維層と太繊維層の最外周の周面全体を網状体の外装材層で覆っているため、前記外装材層が通過するガス流の圧力を周面方向に分散し、格子状の隙間部分に前記微細繊維層が食い込むのを防止する。このように、前記外装材層で一方向に通過するガス流の圧力を周面方向に分散できるため、強度的に弱い格子状に組んだ細線からなる円筒型コアの形状を保持することができる。
また、少なくとも前記外装材層の上縁に沿って結束部材を設け、前記円筒型ミストフィルタと外装材層を前記結束部材で前記円筒型コアに固定すると、多量のミストが前記円筒型ミストフィルタに捕集され、円筒型コアレッシング効果によって前記円筒型ミストフィルタの下方にミスト液が溜まって重くなった場合であっても、前記円筒型ミストフィルタが垂れ下がることがなく、前記円筒型コアの上方部に隙間が生じないため、確実にミストを含んだガス流が前記円筒型ミストフィルタを通過し、ミストの捕集効率の低下を防止することができる。
また、ミスト捕集装置の円筒型ケーシングの上部に、中央部にガス排出口を有し、前記円筒型ケーシングに着脱自在となる蓋体を設け、前記蓋体の裏面に、前記円筒型フィルタエレメントを保持する保持手段を設けることにより、前記円筒型フィルタエレメントのミスト捕集装置への取り付けが容易となる。例えば、保持手段である係止部材と円筒型フィルタエレメントのフランジとを係止させるようにすることで、ワンタッチ形式で簡単に円筒型フィルタエレメントがミスト捕集装置に取り付られる。
さらに、本発明の円筒型フィルエレメントおよびそれを用いたミスト捕集装置は、先に提案した円筒型ミストフィルタおよびそれを用いたミスト捕集装置と同様に、ミスト液の再飛散がなく、ミストの捕集効率を向上し、円筒型ミストフィルタの長寿命化を実現することが可能できる。
【発明を実施するための最良の形態】
【０００６】
本発明の円筒型フィルタエレメントは、細線を格子状に組んで周壁を形成した円筒型コアの周囲に、ガス流に対して下流層となる微細繊維層と、上流層となる太繊維層とを設け、この微細繊維層と太繊維層からなる円筒型ミストフィルタの最外周に網状体の外装材層を固定し、前記円筒型ミストフィルタとを外装材層で円筒型コアに固定するとともに、前記円筒型ミストフィルタを前記網状の外装材層で保護し、補強している。
前記外装材層の巻着を外すことにより、前記微細繊維層と太繊維層からなる円筒型ミストフィルタを、前記円筒型コアから簡単に取り外すことができ、廃棄処分が容易となる。細線を格子状に組んだ周壁は、ミストの付着量が少なく、簡単に付着しているミストを除去できるため、円筒型コアの再利用が可能となり、円筒型コアと円筒型ミストフィルタとを分別して、円筒型ミストフィルタのみを廃棄することができ、使用後の廃棄物量が低減する。
また、細線を格子状に組んだ周壁を備えた円筒型コアは、パンチングメタル製の周壁を備えた円筒型コアと比較して強度的に劣るが、圧力の強いガス流が円筒型フィルタエレメントを通過する場合であっても、円筒型ミストフィルタの最外周に設けた網状の外装材層が、ガス流の圧力を周方向に分散するため、強度的に弱い円筒型コアの形態が変形することなく、また、格子状に組んだ細線の間に円筒型ミストフィルタが食い込むことなく、円筒型フィルタエレメントの形態が保持される。
【０００７】
前記円筒型コアは、直径０．８〜１．５ｍｍのステンレス製の棒状の細線とリング状の細線とを周壁が格子状となるように組み合わせたものを用いることが好ましい。細線の直径が０．８ｍｍ未満では、強度不足であり、直径が１．５ｍｍを超えると過剰強度となるからである。なお、円筒型コアの目開きは特に限定されるものではなく、円筒型コアの周囲に巻着する微細繊維層と太繊維層を支持できる形態であればよい。
【０００８】
前記外装材層は、前記円筒型ミストフィルタを保護し、かつ、ミスト捕集効率および圧力損失を阻害しないように、目開きが０．０８〜０．５ｍｍ、特に、ＪＩＳ織金網規格表メッシュ１６０〜１８０（目開き０．０８１〜０．１０８ｍｍ）である、例えばサランネット、水切りネット等の目付３０ｇ／ｍ2程度の織布であることが好ましい。前記織布の目開きが０．０８ｍｍ未満であるとフィルタの圧力損失が高くなり、目開きが０．５ｍｍを超えると前記各繊維層を保護する補強効果が十分に得られないからである。
【０００９】
外装材層の巻着方向の一方の端部と、巻着後に前記一方の端部と重なり合う他方の端部には、面ファスナー、ホック、縫製等の連結手段を設けることが好ましい。この連結手段によって、外装材層の端部同士を連結し、前記円筒型コアの外周に巻着された帯状の微細繊維層と、その外周に巻着された太繊維層とを周面から前記外装材層で、前記円筒型コアに押圧固定することができ、また、この連結手段の解除によって、外装材層および円筒型ミストフィルタの巻着を外すことができ、円筒型ミストフィルタの廃棄処分が容易となる。この連結手段としては、特に、マジックテープ（登録商標）等の面ファスナー、ホックを用いることにより、円筒型コアへの取り付け、取り外しが容易となる。
【００１０】
さらに、前記外装材層の上縁に沿って結束部材を設けることが好ましい。この結束部材によって、前記円筒型ミストフィルタと外装材層とを円筒型コアに固定するため、多量のミストが前記円筒型ミストフィルタに捕集され、コアレッシング効果によってミスト液が円筒型ミストフィルタの下方に溜まって重くなった場合であっても、上縁部を結束部材で固定された円筒型ミストフィルタが垂れ下がることなく、円筒型コアの上部に隙間が生じないため、確実にミストを含んだガス流を前記円筒型ミストフィルタに通過させ、ミストの捕集効率の低下を防止することができる。
前記結束部材は、ステンレス等の金属製、樹脂製、ゴム製等のものを使用することが好ましい。前記結束部材は、例えば、幅１０〜２０ｍｍのベルト部と、該ベルト部の端部同士をネジ式に締め付ける通常ゴム管等を締め付けるクランプタイプのものを用いることが可能である。
【００１１】
前記上流層となる太繊維層は、無機質繊維から構成し、樹脂を付着させた無機質繊維を面方向に配向させた無機質繊維ウエブをジグザグ状に折り畳んだ波形無機質繊維板から形成するか、もしくは無機質長繊維をカール形状に積層したカール状積層構造体から形成することが好ましい。
【００１２】
前記太繊維層を構成する無機質繊維ウエブをジグザグ状に折り畳んだ波形無機質繊維板は、平均繊維径３〜１０μｍのガラス繊維等の無機質繊維で構成することが好ましい。波形無機質繊維板は、前記無機質繊維にフェノール樹脂等の熱硬化製樹脂またはポリエチレン樹脂、ポリプロピレン樹脂等の熱可塑製樹脂を付着させ、集綿機等を用いて嵩密度１０〜９６ｋｇ／ｍ3、平均孔径２〜２０μｍの無機質繊維ウエブを得、この無機質繊維ウエブを歯車式やラボスキー式等の波付装置を用いて波高さ２５〜１００ｍｍ、波間隔５〜５０ｍｍの波形無機質繊維板に形成する。このような無機質繊維ウエブをジグザグ状に折り畳んだ波形無機質繊維板は、前記ウエブ中の大多数の繊維が前記面方向と直交するガス流通過方向に配向するため、上流層の圧力損失を小さくし、次層となる微細繊維層において、ガス流の圧力によるミスト液の再飛散を防止することができる。
【００１３】
また、前記太繊維層を構成する無機質長繊維をカール形状に積層したカール状積層構造体は、平均繊維径１０〜３０μｍのガラス繊維等の無機質長繊維で構成することが好ましい。前記カール状積層構造体は、左右に微動するノズルから紡糸したガラス長繊維にバインダを吹き付けながらドラムに巻き取ってガラス長繊維が積層されたコンデスマットを得、このコンデスマットをドラムから切り出してドラムに巻き付けた円周方向に対して垂直方向に引っ張り、ガラス長繊維を展開してほぐし、嵩密度が４〜２０ｋｇ／ｍ3、より好ましくは嵩密度４〜１２ｋｇ／ｍ3、平均孔径１００〜５００μｍ、厚さ５〜２０ｍｍのカール状積層構造体に形成する。このようなカール状積層構造体は、カール形状に積層した繊維の交絡部分にガス流中のミストが付着しやすく、付着量が増大したミストが液化しやすくなり、重力沈降により液化ミストが間隙の多いカール状積層構造体間を落下除去しやすくなるため、上流層におけるミストの捕集効率が向上し、次層である微細繊維層に過大量のミストが捕集されず、過大量のミストが捕集された微細繊維層にガス流が流通することによって発生するミストの再飛散を防止することができる。
【００１４】
下流層となる微細繊維層は、平均繊維径０．５〜３μｍのガラス繊維等の無機質繊維で形成することが好ましい。前記微細繊維層は、前記無機質繊維をバインダとともに集綿した生ウールを、嵩密度１０〜１００ｋｇ／ｍ3、平均孔径２０〜１００μｍ、厚さ１０〜２０ｍｍ程度に形成する。
【実施例１】
【００１５】
以下に本発明の円筒型フィルタエレメントの一実施例を図面に基づき説明する。図１（ａ）〜（ｄ）は、円筒型コアに下流層となる微細繊維層、上流層となる太繊維層、外装材層および結束部材を順次設けた各状態を示す説明図である。
図１（ａ）は、円筒型フィルタエレメント１の円筒型コアを示し、棒状の直径１．０ｍｍの細線３ａとリング状の直径１．０ｍｍの細線３ｂとを組み合わせて格子状の周壁３を形成している。円筒型コアの上端部にはリング状の薄板であるフランジ部２を設け、下端部にはミスト受皿４を設けている。前記フランジ部２には、矩形状の一対の切欠部２ａを設けている。なお、図示の例に限らず、フランジ部２は、前記円筒型コアの上端部には、外周方向に突出する突出部位が設けてあればよい。
図１（ｂ）に示すように、前記円筒型コアの外周には、下流層５となる帯状の微細繊維層を巻着する。また、図１（ｃ）に示すように、前記下流層５の外周に、前記下流層５を構成する微細繊維よりも径の太い帯状の太繊維層を上流層６として巻着する。
さらに、図１（ｄ）に示すように、上流層６の外周に帯状となった外装材層７を巻着し、外装材層７の巻着方向の一方の端部と、巻着後に前記一方の端部と重なり合う他方の端部に連結手段として設けた連結部材１６ａ，１６ｂを連結して、上流層６の周面方向から、既に円筒型コアの周壁３に巻着した前記微細繊維層と太繊維層とを周壁３に押圧固定している。前記連結部材１６ａ、１６ｂは、例えば、多数の係合素子を設けた雄型面ファスナーと雌型面ファスナーを、外装材層７の一方の端部と、前記一方の端部に重なり合って面当接する他方の端部に設け、外装材層７を円筒型コアに巻着した後、重なり合う一方の端部と他方の端部とを面当接して面ファスナー同士を連結する。
そして、前記外装材層７の上縁に沿って、下流層５である微細繊維層と上流層６である太繊維層からなる円筒型ミストフィルタＦと外装材層７とを円筒型コアに固定する結束部材８を設けている。前記外装材層７の上縁に沿って結束部材８を設けることにより、円筒型ミストフィルタＦが固定され、円筒型ミストフィルタＦに多量のミストが捕集された場合であっても、ミスト液が下方に溜まった円筒型ミストフィルタＦの自重によって、円筒型ミストフィルタＦが垂れ下がらない。
【実施例２】
【００１６】
次に、本発明の一実施例であるミスト捕集装置について、図面に基づき説明する。図２は、ミスト捕集装置２０の一部縦断面を含む側面図であり、図３は、図２のＡ−Ａ矢視横断面図である。ミスト捕集装置２０は、円筒ケーシング１４からなる本体の上部開口を着脱自在に閉塞する蓋体１５を設け、該蓋体１５の上部に、内部にファンを備え、ガス流をミスト捕集装置２０の外部に放出する吹出口１０ａを有するファンケース１０を設けている。
【００１７】
前記円筒ケーシング１４は、側部上方に前記フィルタエレメント１の外周に接する仮想接線Ｌ上に位置するガス流入口１３を備え、上部は開口状態となっている。円筒型ケーシング１４の底部には、中央部に向かって傾斜を付けたドレン受け底盤１４ａを設け、該底盤１４ａの中央最下部には、ドレン抜き１７を設けている。
【００１８】
前記円筒型ケーシング５の上部開口を着脱自在に載置する蓋体１５は、中央部に円筒型フィルタエレメント１を通過したガス流を排出するガス排出口９を設けている。蓋体１５の裏面には、平板状の取り付け部と平板状の支持部とを段部を介して連結した係止部材１２を中央のガス排出口１９を挟んで一対設けている。前記係止部材１２の支持部に前記円筒型フィルタエレメント１のフランジ部２に設けた切欠部２ａを嵌合し、円筒型フィルタエレメント１を回転させることで、円筒型フィルタエレメント１のフランジ部２と係止部材１２とが係止し、フランジ部２が係止部材１２の支持部により下方から支持され、円筒型フィルタエレメント１をワンタッチで簡単に蓋体１５に保持させることができる。
このように、円筒型フィルタエレメント１のミスト捕集装置２０への着脱が容易となるため、円筒型フィルタエレメント１に設けた円筒型ミストフィルタＦの交換を簡単に行うことができる。なお、図示を省略したが、蓋体１５は、最低二箇所に設けたパッチン錠等で円筒型ケーシング１４に固定することが好ましい。
【００１９】
ミストを含んだガス流は、円筒型ケーシング１４の上部に設置したファンの駆動により、円筒型フィルタエレメント１の仮想接線上に位置する側部上方のガス流入口１３から円筒型ケーシング１４内に流入する。円筒型ケーシング１４内に流入したガス流は、ガス流入口１３に近い円筒型フィルタエレメント１の上方において、円筒型ケーシング１４の上部に設けたファンの駆動により、円筒型フィルタエレメント１の外方から内方へと多くのガス流が一方向に通過するが、最外周に設けた外装材層が一方向に通過するガス流の圧力を周面方向に分散するため、強度的にやや劣る円筒型フィルタエレメント１の細線３ａ，３ｂを格子状に組んだ周壁３に下流層５の微細繊維層が食い込むことなく、円筒型フィルタエレメントの円筒型コアの形状が保持される。また、円筒型ケーシング１４内に流入したガス流の一部は、直進して円筒型ケーシング１４の壁にぶつかり、ガス流中の大きいミストが円筒型ケーシング１４の壁部を伝わって分離され、円筒型フィルタエレメント１の捕集負荷が低減される。
【００２０】
ガス流中の比較的大きなミストは、円筒型フィルタエレメント１の上流層２で捕集され、コアレッシング効果により、ミスト液が下方へと重力沈降して、ミスト受皿３ａへと落下除去される。一定量のミスト液がミスト受皿３ａに溜まると、ミスト液は、ミスト受皿３ａから溢流して円筒型ケーシング１４のドレン受け底盤１４ａの中央最下部に集められ、また、円筒型ケーシング１４の壁部にぶつかったミストも同様に集められて、ドレン抜き１７から円筒型ケーシング１４の外部に排出除去される。
【００２１】
ガス流中の微細なミストは、下流層４である微細繊維層で捕集される。そして、クリーンな状態となったガス流は、円筒型コア３内部から上昇流となって、円筒型ケーシング１４の上部に設けた蓋体１５のガス排出口１９を通過し、さらにファンケース１０に設けた吹出口１０ａを通過して、ミスト捕集装置２０外に排出される。
【図面の簡単な説明】
【００２２】
【図１】（ａ）乃至（ｄ）は、本発明の円筒型フィルタエレメントの製造工程を示す斜視図である（実施例１）。
【図２】本発明のミスト捕集装置の一実施例を示す一部縦断面図を含む側面図である（実施例２）。
【図３】図２のＩＩＩ−ＩＩＩ線断面図である（実施例２）。
【符号の説明】
【００２３】
１      円筒型フィルタエレメント
２      フランジ部
２ａ    切欠部
３      円筒型コア
３ａ    棒状の細線
３ｂ    リング状の細線
４      ミスト受皿
５      下流層
６      上流層
７      外装材層
８      結束部材
９      ガス排出口
１０    ファンケース
１０ａ  ガス放出口
１１    モータ
１２    係止部材
１３    ガス流入口
１４    ケーシング
１４ａ  ドレン受け底盤
１５    蓋体
１６ａ  連結部材
１６ｂ  連結部材
１７    ドレン抜き
２０    ミスト捕集装置
Ｆ      円筒型ミストフィルタ
【図１】
2005046765.tif 000003
【図２】
2005046765.tif 000004
【図３】
2005046765.tif 000005